(57)【特許請求の範囲】
【請求項１】
プロジェクタであって、
空気入口面と空気出口面とを有するハウジングと、
前記ハウジング内に位置するレンズモジュールとを備え、
前記空気入口面には、空気入口が設けられ、前記空気出口面には、空気出口が設けられ、前記空気入口と前記空気出口との間には、ガス流通のための空気通路が形成され、前記レンズモジュールは、レンズと、レンズの外周に設けられる保護カバーとを含み、前記保護カバーは、前記レンズと前記空気通路とを隔離し、
前記保護カバーは、前記空気入口面に対向して設けられる第１表面と、前記空気出口面に対向して設けられる第２表面と、前記第１表面と前記第２表面とを接続する第３表面とを含み、
前記レンズモジュールは、前記ハウジングに接続されてレンズと前記保護カバーとを固定するためのレンズホルダをさらに含み、前記第３表面の前記レンズホルダに近接する側には、係合溝が設けられ、前記係合溝は、前記レンズホルダに係合固定されていることを特徴とするプロジェクタ。
【請求項２】
プロジェクタであって、
空気入口面と空気出口面とを有するハウジングと、
前記ハウジング内に位置するレンズモジュールとを備え、
前記空気入口面には、空気入口が設けられ、前記空気出口面には、空気出口が設けられ、前記空気入口と前記空気出口との間には、ガス流通のための空気通路が形成され、前記レンズモジュールは、レンズと、レンズの外周に設けられる保護カバーとを含み、前記保護カバーは、前記レンズと前記空気通路とを隔離し、
前記保護カバーは、前記空気入口面に対向して設けられる第１表面と、前記空気出口面に対向して設けられる第２表面と、前記第１表面と前記第２表面とを接続する第３表面とを含み、
前記ハウジングは、前記空気入口面と前記空気出口面とを接続するレンズ取付面を含み、前記レンズ取付面には、レンズ取付孔が開設され、前記レンズモジュールは、前記ハウジングに接続されてレンズと前記保護カバーとを固定するためのレンズホルダをさらに含み、前記レンズホルダは、前記レンズ取付孔に対応して設けられ、
前記第３表面の前記レンズ取付面に近接する側には、前記レンズの逃げ部が設けられ、前記保護カバーは、前記逃げ部を介して前記レンズのエッジに当接することを特徴とするプロジェクタ。
【請求項３】
プロジェクタであって、
空気入口面と空気出口面とを有するハウジングと、
前記ハウジング内に位置するレンズモジュールとを備え、
前記空気入口面には、空気入口が設けられ、前記空気出口面には、空気出口が設けられ、前記空気入口と前記空気出口との間には、ガス流通のための空気通路が形成され、前記レンズモジュールは、レンズと、レンズの外周に設けられる保護カバーとを含み、前記保護カバーは、前記レンズと前記空気通路とを隔離し、
前記ハウジングは、前記空気入口面と前記空気出口面とを接続するレンズ取付面を含み、前記レンズ取付面には、レンズ取付孔が開設され、前記レンズモジュールは、前記ハウジングに接続されてレンズと前記保護カバーとを固定するためのレンズホルダをさらに含み、前記レンズホルダは、前記レンズ取付孔に対応して設けられ、
前記プロジェクタは、レンズホルダを介して前記レンズに電気的に接続されるレンズケーブルを備え、前記保護カバーと前記ハウジングとの間には、前記レンズの収容空間が形成され、前記レンズケーブルは、当該収容空間外に位置することを特徴とするプロジェクタ。
【請求項４】
前記空気入口面と前記空気出口面とは、対向して設けられ、前記レンズモジュールは、前記空気入口面と前記空気出口面との間に位置することを特徴とする請求項１に記載のプロジェクタ。
【請求項５】
前記空気入口面と前記空気出口面との間に設けられる、メイン基板とヒートシンクとレーザとカラーホイールユニットとをさらに備えることを特徴とする請求項４に記載のプロジェクタ。
【請求項６】
前記ヒートシンクは、前記空気入口と前記レンズモジュールとの間に位置し、前記保護カバーの前記第１表面は、前記ヒートシンクに近接し、前記第１表面には、前記ハウジングに接続される第１固定部が設けられ、前記第２表面には、前記ハウジングに接続される第２固定部が設けられていることを特徴とする請求項５に記載のプロジェクタ。
【請求項７】
前記空気出口には、前記空気出口に対応するファンが設けられていることを特徴とする請求項１に記載のプロジェクタ。
【請求項８】
前記第３表面には、固定孔が開設され、前記固定孔は、前記係合溝の両側に開設され、前記保護カバーと前記レンズホルダとは、前記固定孔を介して固定されていることを特徴とする請求項１に記載のプロジェクタ。
【発明の詳細な説明】
【技術分野】
【０００１】
本発明は、光学分野に関し、特にエンジニアリングプロジェクタに関する。
【背景技術】
【０００２】
例えば、直接投影型の、レンズが交換可能なエンジニアリングプロジェクタの場合、レンズが機器の前部のほぼ中央に位置し、ちょうど機器の空気入口と空気出口との間の中間箇所にも位置するため、空気通路に侵入した塵によってレンズの入光面が汚染され易く、レンズを頻繁にメンテナンスする必要が生じる。
【０００３】
また、レンズホルダには、レンズに非常に近い位置にケーブルが設けられている。レンズは、取り外して交換される際に、ホルダのケーブルによって妨害されたり、当該ケーブルによって挟まれたりすることがあり、レンズのスムーズな交換の妨げとなっている。
【０００４】
したがって、上記問題を解決するために、新たなプロジェクタを提供する必要が実に存在する。
【発明の概要】
【発明が解決しようとする課題】
【０００５】
本発明が主に解決する技術的課題は、塵がレンズに侵入し易く、メンテナンスが困難であり、かつ、取り外しが不便であるという従来技術における課題を解決するために、レンズ保護カバーを備えるプロジェクタを提供することにある。
【課題を解決するための手段】
【０００６】
上記技術的課題を解決すべく、本発明は、以下の解決手段を講じる。本発明は、プロジェクタを提供する。前記プロジェクタは、空気入口面と空気出口面とを有するハウジングと、前記ハウジング内に位置するレンズモジュールとを備え、前記空気入口面には、空気入口が設けられ、前記空気出口面には、空気出口が設けられ、前記空気入口と前記空気出口との間には、ガス流通のための空気通路が形成され、前記レンズモジュールは、レンズと、レンズの外周に設けられる保護カバーとを含み、前記保護カバーは、前記レンズと前記空気通路とを隔離する。
【０００７】
好ましくは、前記空気入口面と前記空気出口面とは、対向して設けられ、前記レンズモジュールは、前記空気入口面と前記空気出口面との間に位置する。
【０００８】
好ましくは、前記プロジェクタは、前記空気入口面と前記空気出口面との間に設けられる、メイン基板とヒートシンクとレーザとカラーホイールユニットとをさらに備える。
【０００９】
好ましくは、前記ヒートシンクは、前記空気入口と前記レンズモジュールとの間に位置し、前記保護カバーは、前記ヒートシンクに近接する第１表面と、前記第１表面に対向して設けられる第２表面と、前記第１表面と前記第２表面とを接続する第３表面とを含む。
【００１０】
好ましくは、前記第１表面には、前記ハウジングに接続される第１固定部が設けられ、前記第２表面には、前記ハウジングに接続される第２固定部が設けられている。
【００１１】
好ましくは、前記空気出口には、前記空気出口に対応して設けられるファンが設けられている。
【００１２】
好ましくは、前記ハウジングは、前記空気入口面と前記空気出口面とを接続するレンズ取付面を含み、前記レンズ取付面には、レンズ取付孔が開設されている。
【００１３】
好ましくは、前記レンズモジュールは、ハウジングに接続されてレンズと保護カバーとを固定するためのレンズホルダをさらに含み、前記レンズホルダは、レンズ取付孔に対応して設けられている。
【００１４】
好ましくは、前記第３表面においてレンズホルダに近接する側には、係合溝が設けられ、前記係合溝は、前記レンズホルダに係合固定されている。
【００１５】
好ましくは、前記第３表面には、固定孔が開設され、前記固定孔は、前記係合溝の両側に開設され、前記保護カバーと前記レンズホルダとは、固定孔を介して固定されている。
【００１６】
好ましくは、前記第３表面においてハウジングに近接する側には、レンズの逃げ部が設けられ、前記保護カバーは、前記逃げ部を介して前記レンズのエッジに当接する。
【００１７】
好ましくは、前記プロジェクタは、レンズホルダを介して前記レンズに電気的に接続されるレンズケーブルを備え、前記保護カバーと前記ハウジングとの間には、前記レンズの収容空間が形成され、前記レンズケーブルは、当該収容空間外に位置している。
【発明の効果】
【００１８】
本発明は、以下の有利な作用効果を有する。従来技術よりも、本発明に係るプロジェクタは、レンズに保護カバーを設けることで、レンズの塵進入を防止でき、かつ、プロジェクタの内部空間を隔離可能であり、レンズの取り外しおよびメンテナンスが容易であり、ユーザ体験が良好となる。
【図面の簡単な説明】
【００１９】
【図１】本発明のレンズが取り付けられていないプロジェクタの部分組立構成模式図
【図２】本発明のハウジングの一部を省略したプロジェクタの部分組立構成模式図
【図３】本発明のプロジェクタの保護カバーの構成模式図
【図４】本発明のプロジェクタの内部組立模式図
【発明を実施するための形態】
【００２０】
ここに記載の具体的な実施例は、本発明を解釈するためのものに過ぎず、本発明を限定するためのものではないことを理解されたい。
【００２１】
図１及び図２に示すように、本発明のプロジェクタは、収容空間を有するハウジング１、ハウジング１内に収容されるメイン基板２、レンズモジュール、ヒートシンク７、レーザおよびカラーホイールユニットを含む。
【００２２】
ここで、ハウジング１は、メイン基板２に垂直な空気入口面１１および空気出口面１２と、空気入口面１１と空気出口面１２とを接続する天面１３および底面とを含む。レンズモジュール、ヒートシンク７およびカラーホイールユニットは、何れも空気入口面１１と空気出口面１２との間に位置する。メイン基板２は、ハウジング１の底面に固定されている。本実施形態では、メイン基板２は、ハウジング１の底面に固定された独立の集積回路基板であり、機能が異なる複数のソケットが設けられてもよい。具体的には、本実施形態では、メイン基板２には、複数のモジュールソケット、電源制御ソケットおよびＤＭＤソケットが設けられている。選択可能な他の実施形態では、メイン基板２は、ハウジング１と一体に成形されてハウジング１の底部に統合されてもよい。また、メイン基板２は、プロジェクタの底部空間全体を覆ってもよく、ハウジング内の一部の空間のみを占めてもよく、集積作用を奏すれば、実施可能である。
【００２３】
空気入口面１１には、空気入口が設けられ、空気出口面１２には、空気出口１２１が設けられ、空気入口面１１の空気入口と空気出口面１２の空気出口１２１とは、対応して設けられて、ガス流通のための空気通路を形成する。さらに、空気出口１２１に対応して、ガス流動を促進してプロジェクタの内部放熱を補強するためのファン６が設けられている。
【００２４】
レンズモジュールは、レンズ３、レンズ３を固定するためのレンズホルダ４および保護カバー５を含む。さらに、ハウジング１は、空気入口面１１と空気出口面１２とを接続するとともに、天面１３と底面との間に位置するレンズ取付面１４をさらに含む。ここで、レンズ取付面１４には、レンズ取付孔１４１が開設されている。レンズ３は、当該レンズ取付孔１４１を介してハウジング１の内部に挿入される。レンズ３の光線の入射方向は、空気通路内のガスの流動方向に対して垂直である。すなわち、レンズ３は、プロジェクタの空気受け面に位置している。
【００２５】
レンズホルダ４は、レンズ取付孔１４１に対応して設けられて、レンズ３の取付箇所を形成する。レンズホルダ４のレンズケーブルを介してレンズ３とメイン基板２とを電気的に接続し、プロジェクタのレンズケーブルが何れもレンズホルダ４に固定接続される。
【００２６】
保護カバー５は、レンズ３の外周に設けられ、レンズと空気通路とを隔離するために使用される。図３に示すように、保護カバー５は、空気入口面１１に対向して設けられる第１表面５１と、空気出口面１２に対向して設けられる第２表面５２と、第１表面５１と第２表面５２とを接続する第３表面５３とを含む。ここで、第１表面５１においてメイン基板２に近接する側には、メイン基板２に接続される第１固定部５１１が設けられ、第２表面５２においてメイン基板２に近接する側には、メイン基板２に接続される第２固定部５２１が設けられている。保護カバー５とハウジング１とは、レンズ取付箇所を囲む間隔を形成し、その間にはレンズ３の収容空間が形成され、レンズケーブルが当該収容空間外に隔離されている。このように、レンズを取り外す際に、レンズの交換が容易であり、レンズがケーブルで妨害されたり挟まれたりして製品の信頼性に影響を及ぼすことを回避することができる。そして、レンズの取り外し交換時にプロジェクタの内部空間が見えることがなく、製品の美観性が保証される。
【００２７】
第３表面５３がレンズホルダ４に近く、レンズ取付面から離間する側には、係合溝５３１が設けられ、当該係合溝５３１は、レンズホルダ４に係合固定されている。対応的に、レンズホルダには、それに対応するバックルまたは段部が設けられて、保護カバー５とレンズホルダ４との固定の確実性を向上させる。
【００２８】
さらに、第３表面５３には、固定孔５３２がさらに開設されている。具体的には、本実施形態では、固定孔５３２が総計で２つあり、それぞれに前記係合溝５３１の両側に開設され、ホルダ４と保護カバーとのさらなる固定に用いられる。固定ホルダ４には、当該固定孔５３２に合わせるバンプ、ボスを設けたり、当該固定孔５３２を介してネジ固定を行なったりしてもよく、何れも実施可能である。
【００２９】
さらに、第３表面５３のレンズ取付面に近接する側には、レンズの逃げ部５３３が設けられ、保護カバー５は当該逃げ部５３３を介してレンズ３のエッジに当接する。これにより、レンズ３、保護カバー５およびレンズホルダ４は、１つの一体的な構造を形成して、全体として防塵作用を奏する。
【００３０】
図４を参照すると、カラーホイールユニットは、カラーホイールとカラーホイール駆動装置とを含む。レーザはレーザ光を発するためのものであり、動作時に大きな熱を発生し、本発明のプロジェクタの主な発熱源であるが、プロジェクタ内には、結像を調節するためのＤＭＤ駆動装置と、メイン基板の電源制御基板ソケットに電気的に接続される電源制御基板とがさらに設けられてもよく、同様に熱を発生する。対応的に、ヒートシンク７は、レーザの上層に熱伝導的に設けられている。具体的には、本実施形態では、レーザおよびヒートシンクは、空気入口とレンズモジュールとの間に位置する。空気入口から進入した空気流は、ヒートシンクを経てプロジェクタの放熱を行い、その後、レンズモジュールを経てファン６の駆動により空気出口から流れ出て、プロジェクタの内部放熱を実現する。
【００３１】
従来技術よりも、本発明に係るプロジェクタは、レンズに保護カバーを設けることで、レンズの塵進入を防止でき、かつ、プロジェクタの内部空間を隔離可能であり、レンズの取り外しおよびメンテナンスが容易であり、ユーザ体験が良好となる。
【００３２】
以上の記載は、本発明の実施例に過ぎず、本発明の特許範囲を制限するわけではなく、本発明の明細書及び図面の内容を用いてなされる均等な構造または均等な流れ変換、あるいは、他の関連する技術分野へ直接的又は間接的に運用することは、同様な理由により、何れも本発明の特許保護範囲内に含まれる。
【図１】
0006986573.tif 000002
【図２】
0006986573.tif 000003
【図３】
0006986573.tif 000004
【図４】
0006986573.tif 000005